(57)【要約】    【課題】  回収した使用済洗浄液を循環再使用することにより、連続して清掃作業を行い得る時間又は清掃範囲を拡大し、清掃作業を効率化することができる。    【解決手段】  凝集剤を含有する洗浄液Ｌを貯溜する洗浄液槽１６と、洗浄液Ｌを清掃対象に供給する洗浄液Ｌ供給部と、回転ブラシ１４と、使用済洗浄液Ｕを回収する洗浄液Ｌ回収部と、回収した使用済洗浄液Ｕを濾過する濾過部Ｆと、濾過部Ｆにより濾過された使用済洗浄液Ｕを洗浄液槽１６に戻す還流部を備える。清掃対象に供給された洗浄液Ｌが清掃処理に用いられた後、洗浄液Ｌ回収部により回収されて濾過部Ｆに達するまでの間に、使用済洗浄液Ｕ中の汚濁成分が、洗浄液Ｌ中に含まれる凝集剤により凝集し、濾過部Ｆにより濾過された使用済洗浄液Ｕが、還流部から洗浄液槽１６に戻り、循環使用される。【選択図】      図１
2005342420.tif 000002
【特許請求の範囲】
【請求項１】
洗浄液を清掃対象に供給し、洗浄液が供給された清掃対象を清掃処理し、清掃処理に用いられた使用済洗浄液を清掃対象から回収する清掃装置であって、
凝集剤を含有する洗浄液を貯溜する洗浄液槽と、
その洗浄液を清掃対象に供給する洗浄液供給部と、
洗浄液が供給された清掃対象を清掃処理する清掃処理具と、
清掃処理に用いられた使用済洗浄液を清掃対象から回収する洗浄液回収部と、
回収した使用済洗浄液を濾過する濾過部と、
濾過部により濾過された使用済洗浄液を洗浄液槽に戻す還流部を備え、
清掃対象に供給された洗浄液が清掃処理に用いられた後、洗浄液回収部により回収されて濾過部に達するまでの間に、使用済み洗浄液中の汚濁成分が、洗浄液中に含まれる凝集剤により凝集し、濾過部により濾過された使用済み洗浄液が、還流部から洗浄液槽に戻り、循環使用されることを特徴とする清掃装置。
【請求項２】
洗浄液を清掃対象に供給し、洗浄液が供給された清掃対象を清掃処理し、清掃処理に用いられた使用済洗浄液を清掃対象から回収する清掃装置であって、
洗浄液を貯溜する洗浄液槽と、
凝集剤を貯留する凝集剤貯留部と、
前記洗浄液を清掃対象に供給する洗浄液供給部と、
清掃対象に供給する前又は後の洗浄液に前記凝集剤を供給する凝集剤供給部と、
洗浄液が供給された清掃対象を清掃処理する清掃処理具と、
清掃処理に用いられた使用済洗浄液を清掃対象から回収する洗浄液回収部と、
回収した使用済洗浄液を濾過する濾過部と、
濾過部により濾過された使用済洗浄液を洗浄液槽に戻す還流部を備え、
清掃対象に供給された洗浄液が清掃処理に用いられた後、洗浄液回収部により回収されて濾過部に達するまでの間に、使用済み洗浄液中の汚濁成分が、洗浄液に供給された凝集剤により凝集し、濾過部により濾過された使用済み洗浄液が、還流部から洗浄液槽に戻り、循環使用されることを特徴とする清掃装置。
【請求項３】
上記還流部に濾過部を備える請求項１又は２記載の清掃装置。
【請求項４】
洗浄液を清掃対象に供給し、洗浄液が供給された清掃対象を清掃処理し、清掃処理に用いられた使用済洗浄液を清掃対象から回収する清掃方法であって、
凝集剤を含有する洗浄液を清掃対象に供給し、又は、凝集剤を含有しない洗浄液を清掃対象に供給した後で凝集剤をその洗浄液に供給するステップと、
洗浄液が供給された清掃対象を清掃処理具により清掃処理するステップと、
清掃処理に用いられた使用済洗浄液を清掃対象から回収するステップと、
回収した使用済洗浄液を濾過するステップと、
濾過部により濾過された使用済洗浄液を洗浄液として再使用するステップを備え、
清掃対象に供給された洗浄液が清掃処理に用いられた後、回収されて濾過されるまでの間に、使用済み洗浄液中の汚濁成分が、洗浄液中に含まれる凝集剤により凝集し、濾過された使用済み洗浄液が、洗浄液として再使用されることを特徴とする清掃方法。
【発明の詳細な説明】
【技術分野】
【０００１】
本発明は、洗浄液を清掃対象に供給して清掃処理し、清掃処理に用いられた使用済洗浄液を清掃対象から回収する清掃装置及び清掃方法に関する。
【背景技術】
【０００２】
特開平５−１６１５８２号公報（特許文献１）には、機台に支持した床面洗浄用ブラシに洗浄液を供給するとともに、バキュームモータにより汚水を回収するようにした床面洗浄車において、ブラシに供給する洗浄液の流量を調節する手段と、この洗浄液流量調節手段からの信号に基づきバキュームモータの出力を調節する駆動制御手段とを備えていることを特徴とする床面洗浄車が記載されている。
【０００３】
また特開平７−２５５６５５号公報（特許文献２）には、被清掃面に沿って移動可能な装置本体に、被清掃面に接触する回転ブラシ又は回転パッドを持つ清掃機と、被清掃面に洗浄液を滴下する洗浄液滴下装置と、清掃時の被清掃面上の洗浄汚水を吸込みノズルから吸取る洗浄汚水吸取り装置とを設けた移動式清掃装置において、前記装置本体に対し清掃機を前後動可能に支持する第１支持機構を設けると共に、この清掃機の前後に洗浄汚水吸取り装置の吸込みノズルをそれぞれ第２支持機構により上下動可能に支持して設け、且つ前記装置本体の前進移動に伴い清掃機が相対的に後方に移動することにより該清掃機の前側の吸込みノズルが第２支持機構を介し連動して被清掃面から離れて上昇する構成としたことを特徴とする移動式清掃装置が記載されている。
【０００４】
このように、洗浄液を清掃対象に供給し、洗浄液が供給された清掃対象を清掃処理し、清掃処理に用いられた使用済洗浄液を清掃対象から回収する清掃装置は、従来、使用済洗浄液を汚水として回収するものであった。
【０００５】
そのため、従来の清掃装置は、洗浄液槽と汚水槽の両者を備えることを要するのみならず、洗浄液を再使用することができないため、連続して清掃作業を行い得る時間又は清掃範囲は、洗浄液槽に収容した洗浄液が一度使用される間に限られる。
【０００６】
洗浄液収容作業は通常所定位置に戻って行わなければならないため、洗浄液収容作業に要する労力及び時間以外に、清掃作業進行中の位置から所定位置に往復する時間及び労力を要し、清掃作業の効率を低下させる要因となっていた。
【特許文献１】特開平５−１６１５８２号公報
【特許文献２】特開平７−２５５６５５号公報
【発明の開示】
【発明が解決しようとする課題】
【０００７】
本発明は、従来技術に存した上記のような課題に鑑み行われたものであって、その目的とするところは、回収した使用済洗浄液を循環再使用することにより、連続して清掃作業を行い得る時間又は清掃範囲を拡大し、清掃作業を効率化することができる清掃装置及び清掃方法を提供することにある。
【課題を解決するための手段】
【０００８】
上記目的を達成する本発明の清掃装置は、
洗浄液を清掃対象に供給し、洗浄液が供給された清掃対象を清掃処理し、清掃処理に用いられた使用済洗浄液を清掃対象から回収する清掃装置であって、
凝集剤を含有する洗浄液を貯溜する洗浄液槽と、
その洗浄液を清掃対象に供給する洗浄液供給部と、
洗浄液が供給された清掃対象を清掃処理する清掃処理具と、
清掃処理に用いられた使用済洗浄液を清掃対象から回収する洗浄液回収部と、
回収した使用済洗浄液を濾過する濾過部と、
濾過部により濾過された使用済洗浄液を洗浄液槽に戻す還流部を備え、
清掃対象に供給された洗浄液が清掃処理に用いられた後、洗浄液回収部により回収されて濾過部に達するまでの間に、使用済み洗浄液中の汚濁成分が、洗浄液中に含まれる凝集剤により凝集し、濾過部により濾過された使用済み洗浄液が、還流部から洗浄液槽に戻り、循環使用されることを特徴とする。
【０００９】
また本発明の別の清掃装置は、
洗浄液を清掃対象に供給し、洗浄液が供給された清掃対象を清掃処理し、清掃処理に用いられた使用済洗浄液を清掃対象から回収する清掃装置であって、
洗浄液を貯溜する洗浄液槽と、
凝集剤を貯留する凝集剤貯留部と、
前記洗浄液を清掃対象に供給する洗浄液供給部と、
清掃対象に供給する前又は後の洗浄液に前記凝集剤を供給する凝集剤供給部と、
洗浄液が供給された清掃対象を清掃処理する清掃処理具と、
清掃処理に用いられた使用済洗浄液を清掃対象から回収する洗浄液回収部と、
回収した使用済洗浄液を濾過する濾過部と、
濾過部により濾過された使用済洗浄液を洗浄液槽に戻す還流部を備え、
清掃対象に供給された洗浄液が清掃処理に用いられた後、洗浄液回収部により回収されて濾過部に達するまでの間に、使用済み洗浄液中の汚濁成分が、洗浄液に供給された凝集剤により凝集し、濾過部により濾過された使用済み洗浄液が、還流部から洗浄液槽に戻り、循環使用されることを特徴とする。
【００１０】
洗浄液槽から床面やカーペット等の清掃対象に供給された洗浄液は、清掃処理具による清掃対象の清掃処理に用いられることにより、汚濁成分を含んだ使用済洗浄液となる。
【００１１】
この使用済洗浄液は、洗浄液回収部により回収され、濾過部及び還流部を経て洗浄液槽に戻る。清掃対象に供給されて清掃処理具による清掃処理に用いられた洗浄液が洗浄液回収部により回収されて濾過部に達するまでの間に、使用済み洗浄液中の汚濁成分が、使用済み洗浄液中に含まれる凝集剤（好ましくは、凝集剤のうちの沈降剤）により凝集するので、凝集前の状態では濾過部を通過する割合が高い汚濁成分が濾過部により効果的に濾過され、還流部から洗浄液槽に戻る洗浄液は循環使用可能なものとなり得る。
【００１２】
このような洗浄液の循環使用が可能であるため、使用済洗浄液を汚水として回収する従来装置と異なり、洗浄液槽と汚水槽の両者を備えることを要しないのみならず、洗浄液を循環再使用することができるため、連続して清掃作業を行い得る時間又は清掃範囲が格段に拡大され、所定位置に戻って行う洗浄液収容作業が減少して清掃作業が大幅に効率化されると共に、資源の有効利用にも資する。
【００１３】
上記本発明の清掃装置は、上記還流部に濾過部を備えるものであることが好ましい。
【００１４】
この場合、濾過部により濾過された使用済洗浄液を洗浄液槽に戻す還流部に濾過部を備えるので、清掃対象から使用済洗浄液を回収した後、濾過部に達するまでの時間が最も長くなる。そのため、使用済み洗浄液中の汚濁成分が洗浄液に供給された凝集剤により凝集する効果及び凝集した汚濁成分の濾過部による濾過効果が最大限に発揮され、使用済み洗浄液の循環使用に好適である。
【００１５】
また本発明の清掃方法は、
洗浄液を清掃対象に供給し、洗浄液が供給された清掃対象を清掃処理し、清掃処理に用いられた使用済洗浄液を清掃対象から回収する清掃方法であって、
凝集剤を含有する洗浄液を清掃対象に供給し、又は、凝集剤を含有しない洗浄液を清掃対象に供給した後で凝集剤をその洗浄液に供給するステップと、
洗浄液が供給された清掃対象を清掃処理具により清掃処理するステップと、
清掃処理に用いられた使用済洗浄液を清掃対象から回収するステップと、
回収した使用済洗浄液を濾過するステップと、
濾過部により濾過された使用済洗浄液を洗浄液として再使用するステップを備え、
清掃対象に供給された洗浄液が清掃処理に用いられた後、回収されて濾過されるまでの間に、使用済み洗浄液中の汚濁成分が、洗浄液中に含まれる凝集剤により凝集し、濾過された使用済み洗浄液が、洗浄液として再使用されることを特徴とする。
【００１６】
床面やカーペット等の清掃対象に供給された洗浄液は、清掃対象の清掃処理に用いられることにより、汚濁成分を含んだ使用済洗浄液となる。
【００１７】
この使用済洗浄液は、回収され、濾過される。清掃対象に供給されて清掃処理に用いられた洗浄液が回収されて濾過されるまでの間に、使用済み洗浄液中の汚濁成分が、使用済み洗浄液中に含まれる凝集剤（好ましくは、凝集剤のうちの沈降剤）により凝集するので、凝集前の状態では濾取されない割合が高い汚濁成分が効果的に濾過され、使用済み洗浄液は循環使用可能なものとなり得る。
【００１８】
このような洗浄液の循環使用が可能であるため、使用済洗浄液を汚水として回収する従来の清掃方法と異なり、洗浄液を循環再使用することができるため、連続して清掃作業を行い得る時間又は清掃範囲が格段に拡大され、所定位置に戻って行う洗浄液収容作業が減少して清掃作業が大幅に効率化されると共に、資源の有効利用にも資する。
【発明の効果】
【００１９】
本発明の清掃装置によれば、洗浄液の循環使用が可能であるため、洗浄液槽と汚水槽の両者を備えることを要しないのみならず、洗浄液を循環再使用することができるため、連続して清掃作業を行い得る時間又は清掃範囲が格段に拡大され、所定位置に戻って行う洗浄液収容作業が減少して清掃作業が大幅に効率化されると共に、資源の有効利用にも資する。
【００２０】
本発明の清掃方法によれば、洗浄液を循環再使用することができるため、連続して清掃作業を行い得る時間又は清掃範囲が格段に拡大され、所定位置に戻って行う洗浄液収容作業が減少して清掃作業が大幅に効率化されると共に、資源の有効利用にも資する。
【発明を実施するための最良の形態】
【００２１】
図１は、本発明の実施の形態の例としての清掃装置の説明図である。
【００２２】
この清掃装置Ｍは、前輪１０と、電動機（図示せず）により駆動される一対の後輪１２により、床面等の清掃対象面上を走行しつつ清掃を行うものであり、清掃装置Ｍの前部に、回転清掃処理具駆動用の電動機（図示せず）により回転駆動される回転ブラシ１４（清掃処理具の一例。回転パッド等であってもよく、特に限定されない。縦軸の回転ブラシ等であってもよく横軸の回転ブラシ等であってもよい。）を備える。この清掃装置Ｍは、使用者が搭乗して清掃作業を行うものであるが、使用者が歩きながら操作するものなどであってもよいことは言うまでもない。電動機の電源は、清掃装置Ｍに搭載された蓄電池（図示せず）であるが、これに限らない。
【００２３】
清掃装置Ｍの後部には、凝集剤［ポリアクリルアミド等の非イオン性高分子凝集剤、ポリアクリルアミドの部分加水分解物等の陰イオン性高分子凝集剤、ポリ(メタクリル酸アミノアルキルエステル)等の陽イオン性高分子凝集剤等を例示することができる。好ましくは、凝集剤のうちでも沈降剤と呼ばれるものである。］を含有する洗浄液Ｌを貯溜する洗浄液槽１６を備える。洗浄液槽１６の内底部には、回転ブラシ１４に対し洗浄液Ｌを吐出供給するための洗浄液供給管１８の基部が連結されている。洗浄液供給管１８の中間部には、洗浄液槽１６の洗浄液Ｌを送出するためのポンプ２０が設けられている。
【００２４】
清掃時には、電動機により回転ブラシ１４を回転駆動すると共に、ポンプ２０を駆動し、洗浄液供給管１８を通じて吐出口１８ａから凝集剤含有洗浄液Ｌを清掃対象の床面等に供給する。なお、洗浄液Ｌ中に凝集剤を含有させず、別途凝集剤槽を設けて洗浄液Ｌと凝集剤を共に床面等に供給するものとすることもできる。
【００２５】
清掃装置Ｍの後端部には、横長の吸引部２２が設けられ、清掃装置Ｍ内に備える送風機（負圧発生装置。図示せず。）により発生する負圧を利用して床面（清掃対象面）上の使用済洗浄液Ｕを吸引回収する。吸引部２２には吸引管２４の一端が連結され、洗浄液槽１６の上方開口部ａに位置する吸引管２４の他端には濾過部Ｆが連結されている。この場合の濾過部Ｆは還流部と一体であるが、濾過部Ｆと還流部は別々であってもよい。
【００２６】
吸引部２２は、例えば、床面等に臨む吸引口の周縁部をゴム状材料等により構成したものとすることができる。濾過部Ｆは、吸引部２２から吸引し、吸引管２４を通過した使用済洗浄液Ｕを濾過するものであり、濾過部Ｆにより濾過された使用済洗浄液Ｕは、洗浄液槽１６にそのまま流下して還流する。濾過部Ｆは、使用済洗浄液Ｕ中に含まれる凝集剤により凝集した汚濁成分等を濾取し得、使用済洗浄液Ｕの洗浄液槽１６への還流に支障のないものであれば、特に限定されない。一般的には、濾布を用いたものとすることができる。濾布の交換を容易にするためにフィルタ枠に濾布を張設したものを差し替え可能に用いることもできる。
【００２７】
洗浄液槽１６から床面に供給された洗浄液Ｌは、回転ブラシ１４による清掃処理に用いられることにより、汚濁成分を含んだ使用済洗浄液Ｕとなる。この使用済洗浄液Ｕは、吸引部２２から吸引され、吸引管２４を通過して濾過部Ｆに達する。使用済洗浄液Ｕが清掃処理に用いられて吸引部２２から吸引され、濾過部Ｆに達するまでの間に、使用済洗浄液Ｕ中の汚濁成分等が、洗浄液Ｌ中に含まれる凝集剤により凝集する。そのため、凝集前の状態では濾過部Ｆを通過する割合が高い汚濁成分が濾過部Ｆにより効果的に濾過され、濾過済みの再使用可能な洗浄液Ｌが洗浄液槽１６に戻る。洗浄液Ｌ及び凝集剤の成分、洗浄液Ｌが清掃処理に用いられてから濾過部Ｆに達するまでの距離、清掃装置Ｍの移動速度、使用済洗浄液Ｕの移動速度等の、使用済洗浄液Ｕが清掃処理に用いられて吸引部２２から吸引され、濾過部Ｆに達するまでの間に、使用済洗浄液Ｕ中の汚濁成分等が、洗浄液Ｌ中に含まれる凝集剤により凝集し得るか否かに影響する事項については、必要に応じ適宜調節する。
【００２８】
洗浄液槽１６と汚水槽の両者を備えることを要しないので、洗浄液槽１６の容量を可及的に大きくするか又は装置を可及的に小型化することができるのみならず、洗浄液Ｌを循環再使用することができるため、連続して清掃作業を行い得る時間又は清掃範囲が格段に拡大され、資源の有効利用にも資する。
【図面の簡単な説明】
【００２９】
【図１】清掃装置の説明図である。
【符号の説明】
【００３０】
１０      前輪
１２      後輪
１４      回転ブラシ
１６      洗浄液槽
１６ａ    上方開口部
１８      洗浄液供給管
１８ａ    吐出口
２０      ポンプ
２２      吸引部
２４      吸引管
Ｆ        濾過部
Ｌ        洗浄液
Ｍ        清掃装置
Ｕ        使用済洗浄液
【図１】
2005342420.tif 000003